(57)【要約】  【課題】  本発明は、２筐体が閉じられたときに、アンテナを構成する線状導体が筐体内部の回路基板に接近することなしに、また、線状導体同士が接近することなしに、線状導体を筐体内部に収めることができ、アンテナ性能を向上させることができる携帯無線機を提供することを目的とする。  【解決手段】  本発明の携帯無線機は、第１の筐体と、第２の筐体と、前記第１の筐体と前記第２の筐体とを開閉可能に連結する連結部３と、前記第１の筐体内に配設された第１の回路基板１と、前記第２の筐体内に配設された導体５２と、前記第１の回路基板に接続されたモノポールアンテナ５１と、を備える携帯無線機であって、前記導体５２の少なくとも一部が、前記第１の筐体と前記第２の筐体とが閉状態にあるとき、前記モノポールアンテナ５１に対向するものである。【選択図】  図１
2006186896.tif 000002
【特許請求の範囲】
【請求項１】
第１の筐体と、
第２の筐体と、
前記第１の筐体と前記第２の筐体とを開閉可能に連結する連結部と、
前記第１の筐体内に配設された第１の回路基板と、
前記第１の回路基板に接続されたモノポールアンテナと、
前記第２の筐体内に配設された導体と、
を備える携帯無線機であって、
前記導体の少なくとも一部は、前記第１の筐体と前記第２の筐体とが閉状態にあるとき、前記モノポールアンテナに対向する携帯無線機。
【請求項２】
請求項１記載の携帯無線機であって、
前記導体は、前記第１の筐体と前記第２の筐体とが閉状態にあるとき、前記モノポールアンテナの開放端に対向する携帯無線機。
【請求項３】
請求項１または２記載の携帯無線機であって、
前記導体は、線状導体で構成される携帯無線機。
【請求項４】
請求項３記載の携帯無線機であって、
前記線状導体の長さは、前記モノポールアンテナの長さと異なる携帯無線機。
【請求項５】
請求項３または４記載の携帯無線機であって、
前記線状導体は、長さの異なる複数の線状導体により構成される携帯無線機。
【請求項６】
請求項１ないし５のいずれか１項記載の携帯無線機であって、
前記モノポールアンテナは、前記連結部と反対側の、前記第１の回路基板の端部に接続される携帯無線機。
【請求項７】
請求項１ないし６のいずれか１項記載の携帯無線機であって、
前記モノポールアンテナは、前記第１の筐体と前記第２の筐体とが閉状態にあるときに前記第２の筐体に向かい合う前記第１の筐体表面に突出した、導電性の第１の突出部に接続され、
前記導体は、前記第１の筐体と前記第２の筐体とが閉状態にあるときに前記第１の筐体に向かい合う前記第２の筐体表面に突出した、導電性の第２の突出部に接続され、
前記第１の突出部と前記第２の突出部は、前記第１の筐体と前記第２の筐体とが閉状態にあるときに接触するように設けられた携帯無線機。
【発明の詳細な説明】
【技術分野】
【０００１】
本発明は、開閉可能な２つの筐体を有した２筐体型の携帯無線機に関し、特に、その２つの筐体が閉じられたときに良好なアンテナ特性を得ることができる携帯無線機に関するものである。
【背景技術】
【０００２】
従来の２筐体型の携帯無線機として、第１の筐体と第２の筐体とを回動可能に接続するヒンジ部とは反対側の、第１の筐体内部の第１の回路基板の端部に、線状導体により構成されるアンテナが接続された折畳み式のものが知られている（例えば特許文献１、特許文献２参照）。
【０００３】
図１３はこのような従来の携帯無線機の構成を示す図であり、ここでは要部のみを示している。図中の１は第１の筐体内に配設された第１の回路基板であり、この回路基板１の端部にモノポールアンテナ４が接続されている。
【０００４】
このような折畳み式の携帯無線機によれば、アンテナ４が第１の回路基板１と電磁界結合して第１の回路基板１を励振させるため、良好なアンテナ特性を得ることができる。
【０００５】
また、他の従来の２筐体型の携帯無線機として、第１の筐体と第２の筐体とを回動可能に接続するヒンジ部とは反対側の、第１の筐体内部の第１の回路基板の端部に、長さの異なる複数の線状導体により構成されるアンテナが接続された折畳み式のものが提案されている。
【０００６】
図１４は、このような従来の携帯無線機の構成を示す図であり、ここでは図１３と同様、要部のみを示している。第１の回路基板１の端部に接続されたモノポールアンテナ６は、２つの線状導体から構成されている。
【０００７】
このような折畳み式の携帯無線機によれば、図１３の折畳み式携帯無線機によって得られる効果に加え、さらに、線状導体個数分の異なる周波数帯を利用したマルチバンドの無線通信を実現することができる。
【０００８】
【特許文献１】特許第３４８０８２１号公報
【特許文献２】特開２００２−１１１３４３号公報
【発明の開示】
【発明が解決しようとする課題】
【０００９】
しかしながら、上記の図１３のような従来の携帯無線機においては、アンテナ性能を向上させようとして線状導体４を長くすると、第１の筐体内部に線状導体４を収めるために、第１の筐体内部で線状導体４を折り返す必要がある。折り返した結果、線状導体４の一部が第１の回路基板１に接近してしまうため、第１の回路基板１からの電磁界の影響を受けて、アンテナ性能が低下してしまうという問題があった。
【００１０】
線状導体４の一部が第１の回路基板１に接近することによりアンテナ性能が低下してしまう原因としては、例えば、図１３のＣ１とＣ２により示す部分で電流の向きが逆になるために電磁界が打ち消し合ってしまうことや、図１３のＤ１とＤ２により示す部分での電磁界が干渉してしまうことなどが挙げられる。
【００１１】
また、上記の図１４のような従来の携帯無線機においては、第１の筐体１内部に長さの異なる複数の線状導体６を収めようとすると、線状導体６の一部分が第１の回路基板１に接近してしまうため、図１３の携帯無線機と同様、アンテナ性能が低下してしまうのに加え、複数の線状導体同士が接近してしまうために、図１４のＥ１とＥ２により示す部分、Ｆ１とＦ２Ｆ３により示す部分で電流の向きが逆になるために電磁界が打ち消し合ってしまい、さらにアンテナ性能が低下してしまう。
【００１２】
線状導体４、６が第１の回路基板１に接近し、あるいは線状導体同士が接近してアンテナ性能が低下しないように、線状導体４、６を配置するための第１の筐体内部の空間を広げることも考えられるが、より一層の小型化を求められる携帯無線機にとって、さらに別の空間を第１の筐体内部に設けることは困難である。
【００１３】
本発明は、上記事情に鑑みてなされたもので、２筐体が閉じられたときに、アンテナを構成する線状導体が筐体内部の回路基板に接近することがなしに、また、線状導体同士が接近することなしに、線状導体を筐体内部に収めることができ、アンテナ性能を向上させることができる携帯無線機を提供することを目的とする。
【課題を解決するための手段】
【００１４】
本発明の携帯無線機は、第１の筐体と、第２の筐体と、前記第１の筐体と前記第２の筐体とを開閉可能に連結する連結部と、前記第１の筐体内に配設された第１の回路基板と、  前記第１の回路基板に接続されたモノポールアンテナと、前記第２の筐体内に配設された導体と、を備える携帯無線機であって、前記導体の少なくとも一部が、前記第１の筐体と前記第２の筐体とが閉状態にあるとき、前記モノポールアンテナに対向するものである。
【００１５】
この構成により、２筐体が閉じられたときに、アンテナを構成する線状導体が回路基板に接近することがなく、帯域幅が拡大し、また線状導体同士が接近することなしに、筐体内部に収めることができ、アンテナ性能を向上させることができる。
【００１６】
また、本発明の携帯無線機は、前記導体が、前記第１の筐体と前記第２の筐体とが閉状態にあるとき、前記モノポールアンテナの開放端に対向するものを含む。
【００１７】
この構成により、モノポールアンテナのアンテナ長を効果的に延長することができるため、さらにアンテナ性能を向上させることができる。
【００１８】
また、本発明の携帯無線機は、前記導体が、線状導体で構成されるものを含む。
【００１９】
また、本発明の携帯無線機は、前記線状導体の長さが、前記モノポールアンテナの長さと異なるものを含む。
【００２０】
この構成により、線状導体の長さを調節することにより、モノポールアンテナが送受信する周波数以外の電波を線状導体により受信することができるため、マルチバンド化が可能となる。
【００２１】
また、本発明の携帯無線機は、前記線状導体が、長さの異なる複数の線状導体により構成されるものを含む。
【００２２】
この構成により、線状導体のみで、複数の周波数の電波を受信することができるため、マルチバンド化が容易になる。
【００２３】
また、本発明の携帯無線機は、前記モノポールアンテナが、前記連結部と反対側の、前記第１の回路基板の端部に接続されるものを含む。
【００２４】
この構成により、従来のモノポールアンテナに使われることの多かった第１の筐体内部の領域をそのまま利用することができるため、携帯無線機の設計の変更を最小に留めることができる
【００２５】
また、本発明の携帯無線機は、前記モノポールアンテナが、前記第１の筐体と前記第２の筐体とが閉状態にあるときに前記第２の筐体に向かい合う前記第１の筐体表面に突出した、導電性の第１の突出部に接続され、前記導体が、前記第１の筐体と前記第２の筐体とが閉状態にあるときに前記第１の筐体に向かい合う前記第２の筐体表面に突出した、導電性の第２の突出部に接続され、前記第１の突出部と前記第２の突出部が、前記第１の筐体と前記第２の筐体とが閉状態にあるときに接触するように設けられたものを含む。
【００２６】
この構成により、第１の筐体内部に配設されたモノポールアンテナと第２の筐体内部に配設された導体とを、簡易に導通させることができる。
【発明の効果】
【００２７】
本発明の携帯無線機によれば、第１の筐体の回路基板に接続されたモノポールアンテナと第２の筐体の導体とが、第１の筐体と第２の筐体とが閉じられたときに対向するように設けられたことにより、２筐体が閉状態にあるときに、アンテナを構成する線状導体が筐体内部の回路基板に接近することがなく、また、線状導体同士が接近することなしに、線状導体を筐体内部に収めることができ、アンテナ性能を向上させることができる。
【発明を実施するための最良の形態】
【００２８】
以下、本発明の実施形態の携帯無線機について、図面を用いて説明する。
まず、本発明にかかる携帯無線機について、基本的な構成を図１〜図２により説明する。図１〜図２は各々、携帯無線機の基本構成を示す図であり、（ａ）は従来の携帯無線機の構成を、（ｂ）は（ａ）の携帯無線機を改良した本発明の実施の形態の携帯無線機の構成を示している。
【００２９】
図１〜図２において、携帯無線機は、第１の筐体（図示せず）内部に配設された第１の回路基板１、第２の筐体（図示せず）内部に配設された第２の回路基板２、ヒンジ３、第１の筐体に配設されたモノポールアンテナ４、５１、６、７１、第２の筐体内部に配設された導体エレメント５２、７２により構成される。
【００３０】
図１〜図２の（ａ）、（ｂ）それぞれの携帯無線機は、第１の回路基板１と第２の回路基板２はヒンジ３内を通過するフレキシブル基板もしくは同軸ケーブルによって接続されており、また、第１の回路基板１を含む第１の筐体と第２の回路基板２を含む第２の筐体がヒンジ３により回動可能に接続されることにより、折畳み式携帯無線機として構成される。
【００３１】
図１〜図２の（ａ）の携帯無線機は、図１３、図１４の携帯無線機に示すように、第１の回路基板のヒンジ３と反対側の一端に、折り曲げられたモノポールアンテナ４、６が接続されており、一方、第２の筐体内部にはアンテナを構成する導体は設けられていない。モノポールアンテナ４は、第１の筐体内部で折り曲げられて配設されており、また、モノポールアンテナ６は、長さの異なる複数の線状導体がＦ字型に組み合わされており、第１の筐体内部に配設されている。
【００３２】
一方、図１〜図２の（ｂ）の本発明の携帯無線機は、第１の回路基板１のヒンジ３と反対側の一端に、は折り曲げられたモノポールアンテナ５１、７１が接続されており、さらに、第２の筐体内部には、第１の筐体内部のモノポールアンテナ５１、７１と折畳み時に対向する箇所に導体エレメント５２、７２が配設されている。導体エレメント５２、７２は、折畳み時にモノポールアンテナ５１、７１と物理的に接続あるいは高周波的に接続（図中ＡあるいはＢで囲まれた部分で接続）され、導体エレメント５２はモノポール５１の一部としてアンテナ長を延長し、導体エレメント７２はモノポールアンテナ７１とは異なる共振周波数で共振するアンテナエレメントとして動作する。
【００３３】
この構成により、第１の筐体と第２の筐体とによる折畳み時に、モノポールアンテナを構成する線状導体５１、５２、７１、７２が第１、２の回路基板に接近することがなく、また、線状導体同士が接近することなしに筐体内部に収めることができ、高利得かつ広帯域の周波数に対応できる閉時用アンテナを実現することができる。
【００３４】
（第１実施形態）
以下、図１（ａ）、（ｂ）の携帯無線機それぞれのアンテナによるアンテナ特性を、電磁界シミュレーション結果を基に、それぞれ説明する。
【００３５】
図３に、図１（ａ）に示す従来の携帯無線機における、シミュレーションモデルを示す。図３では、第２の回路基板２の記載は、省略されているが、実際のシミュレーションモデルに含まれている。図３（ａ）は、シミュレーションモデルの斜視図であり、図３（ｂ）は、図３（ａ）のＺＸ断面におけるシミュレーションモデルの断面図（数値は寸法（ｍｍ）を表す）である。
【００３６】
図３に示すシミュレーションモデルによる電磁界シミュレーションにより得られた結果を基に、第１の回路基板１、モノポールアンテナ４に流れる電流の向きを示したのが、図１３の矢印に相当する。Ｃ１とＣ２の部分で電流の向きが逆になるために電磁界が打ち消し合ってしまうことや、図１３に示すＤ１とＤ２の部分での電磁界が干渉してしまうために、アンテナ性能が低下してしまうことになる。
【００３７】
図４に、図３のシミュレーションモデルによる電磁界シミュレーションにより得られた電圧定在波比（以下、ＶＳＷＲ特性と呼ぶ。）特性を示す。図４のＶＳＷＲ特性から、従来の携帯無線機のバンド幅（ＢＷ）は、１２０ＭＨｚ程度であることが確認できる。
【００３８】
次に、図１（ｂ）に対応する、本発明の第１実施形態の携帯電話機について説明する。図５に、図１（ｂ）に示す本発明の第１実施形態の携帯電話機におけるシミュレーションモデルを示す。図５（ａ）は、シミュレーションモデルの斜視図であり、図５（ｂ）は、図５（ａ）のＸＹ断面におけるシミュレーションモデルの断面図（数値は寸法（ｍｍ）を表す）であり、図５（ｃ）は、図５（ａ）のＺＸ断面におけるシミュレーションモデルの断面図（数値は寸法（ｍｍ）を表す）である。
【００３９】
図５において、第１の回路基板１の一端には、線状導体からなるモノポールアンテナ５１が接続されている。このモノポールアンテナ５１は、第１の筐体と第２の筐体とが閉じられたときに第２の筐体内部に配設された導体５２と対向するように設けられている。この例では、第１の筐体と第２の筐体とが閉じられたときに、導体５２の一端と水平方向に折り曲げられたモノポールアンテナ５１の開放端が接続されている。なお、図５のシミュレーションモデルは、モノポールアンテナ５１と導体５２が物理的に接続されたものであるが、物理的に接続されていなくても、例えば図５（ａ）に示す点線で囲まれる領域Ａに導体が存在しなくても、携帯電話機に利用される無線周波数が高いため、高周波的にモノポールアンテナ５１と導体５２とを接続することができ、同様の効果を得ることができる。
【００４０】
図６に、本発明の第１実施形態の携帯無線機における、第１の回路基板１、モノポールアンテナ５１、導体５２に流れる電流の向きを示す。第１実施形態の携帯無線機では、図示の矢印の向きに電流が流れ、モノポールアンテナ５１と導体５２同士が狭いエリアで近接し、個々の電流の向きが逆になって打ち消し合う方向に働くようなことはなく、モノポールアンテナ５１や導体５２が第１の回路基板１に接近することもない。したがって、２筐体が閉じられたときに、アンテナを構成する線状導体が回路基板に接近することがなく、また線状導体同士が接近することなしに、筐体内部に収めることができ、アンテナ性能を向上させることができる。
【００４１】
図７に、本発明の第１実施形態の携帯無線機のＶＳＷＲ特性を示す。バンド幅は１４０ＭＨｚとなり、図４に示す従来の携帯無線機のＶＳＷＲ特性と比較すると、帯域幅が広帯域になっていることを確認することができ、アンテナ性能が向上していることがわかる。
【００４２】
以上のように、本発明の第１実施形態の携帯無線機によれば、２筐体が閉じられたときに、アンテナを構成する線状導体が回路基板に接近することがなく、また線状導体同士が接近することなしに、筐体内部に収めることができるため、従来の携帯無線機に比べてアンテナ性能を向上させることができる。
【００４３】
なお、第１の筐体内部に配設したモノポールアンテナ５１と、第２の筐体内部に配設した導体５２と、を高周波的に接続する場合は、モノポールアンテナ５１と導体５２とを設ける空間を第１、２の筐体内部に設けるだけでよいが、物理的に接続する場合は、筐体にも工夫が必要となる。このとき、例えば、第１、第２の筐体それぞれの、折畳み時に対向する表面上に、導体で構成される突出部を設け、折畳み時にはこの突出部同士が接触するようにする。一方で、モノポールアンテナ５１と導体５２とは、第１、第２の筐体表面に設けられた突出部と筐体内部から接続するように構成されることにより、第１、第２の筐体の折畳み時に突出部を介して接続することが可能になる。
【００４４】
また、図５に示す、本発明の第１実施形態の携帯電話機におけるシミュレーションモデルでは、モノポールアンテナ５１の開放端と導体５２の一端のみを物理的に接続するように記載したが、複数箇所を接続するように構成してもよい。また、モノポールアンテナ５１と導体５２とが折畳み時に平行に向かい合うように配置することが好ましいが、これに限定するものではない。
【００４５】
（第２実施形態）
以下、図２（ａ）、（ｂ）の携帯無線機それぞれのアンテナによるアンテナ特性を、電磁界シミュレーション結果を基に、それぞれ説明する。
【００４６】
図８に、図２（ａ）に示す従来の携帯無線機におけるシミュレーションモデルを示す。図８では、第２の回路基板２の記載は、省略されているが、実際のシミュレーションモデルに含まれている。図８（ａ）は、シミュレーションモデルの斜視図であり、図８（ｂ）は、図８（ａ）のＺＸ断面におけるシミュレーションモデルの断面図（数値は寸法（ｍｍ）を表す）である。
【００４７】
図８に示すシミュレーションモデルによる電磁界シミュレーションにより得られた結果を基に、第１の回路基板１、モノポールアンテナ６に流れる電流の向きを示したのが、図１４の矢印に相当する。内側に配置された線状導体が第１の回路基板１に接近してしまうため、図１３の携帯無線機と同様、アンテナ性能が低下してしまうのに加え、複数の線状導体同士が接近してしまうために、図１４に示すＥ１とＥ２、Ｆ１とＦ２とＦ３の部分で電流の向きが逆になるために電磁界が打ち消し合ってしまい、さらにアンテナ性能が低下してしまう。
【００４８】
図９に、図８のシミュレーションモデルによる電磁界シミュレーションにより得られたＶＳＷＲ特性を示す。図９のＶＳＷＲ特性から、従来の携帯無線機のバンド幅（ＢＷ）は、１２０ＭＨｚ程度であることが確認できる。
【００４９】
次に、図２（ｂ）に対応する、本発明の第２実施形態の携帯電話機について説明する。図１０に、図２（ｂ）に示す本発明の第２実施形態の携帯電話機におけるシミュレーションモデルを示す。図１０（ａ）は、シミュレーションモデルの斜視図であり、図１０（ｂ）は、図１０（ａ）のＸＹ断面におけるシミュレーションモデルの断面図（数値は寸法（ｍｍ）を表す）であり、図１０（ｃ）は、図１０（ａ）のＺＸ断面におけるシミュレーションモデルの断面図（数値は寸法（ｍｍ）を表す）である。
【００５０】
図１０において、第１の回路基板１の一端には、線状導体からなるモノポールアンテナ７１が接続されている。モノポールアンテナ７１は、第１の筐体内部で折り曲げて配設されており、第１の筐体と第２の筐体とによる折畳み時に導体７２と接続することにより、２方向に分岐されるように構成されている。このモノポールアンテナ５１は、第１の筐体と第２の筐体とが閉じられたときに第２の筐体内部に配設された導体７２と対向するように設けられている。なお、図１０のシミュレーションモデルは、モノポールアンテナ７１と導体７２が物理的に接続されたものであるが、物理的に接続されていなくても、例えば図１０（ａ）、図１０（ｂ）に示す点線で囲まれる領域Ｂに導体が存在しなくても、携帯電話機に利用される無線周波数が高いため、高周波的にモノポールアンテナ７１と導体７２とを接続することができ、同様の効果を得ることができる。
【００５１】
図１１に、本発明の第２実施形態の携帯無線機における、第１の回路基板１、モノポールアンテナ７１、導体７２に流れる電流の向きを示す。第２実施形態の携帯無線機では、図示の矢印の向きに電流が流れ、導体７２が、モノポールアンテナ７１に回路基板１から長手方向に充分離れた位置で接続される構成となっており、狭いエリアで近接し、個々の電流の向きが逆になって打ち消し合う方向に働くようなことはなく、モノポールアンテナ７１や導体７２が第１の回路基板１に接近することもない。したがって、２筐体が閉じられたときに、アンテナを構成する線状導体が回路基板に接近することがなく、また線状導体同士が接近することなしに、筐体内部に収めることができ、アンテナ性能を向上させることができる。また、第１の筐体と第２の筐体との折畳み時にアンテナが複数に分岐する構成であるため、線状導体の長さを調整することにより、アンテナ性能を向上させながらのマルチバンド化が可能となる。
【００５２】
図１２に、本発明の第２実施形態の携帯無線機のＶＳＷＲ特性を示す。バンド幅は１５０ＭＨｚとなり、図９に示す従来の携帯無線機のＶＳＷＲ特性と比較すると、帯域幅が広帯域になっていることを確認することができ、アンテナ性能が向上していることがわかる。
【００５３】
なお、本発明の第１、２実施形態の携帯無線機において、第１の筐体内部に配設したモノポールアンテナ５１、７１と、第２の筐体内部に配設した導体５２、７２と、を高周波的に接続する場合は、モノポールアンテナ５１、７１と導体５２、７２とを設ける空間を第１、２の筐体内部に設けるだけでよいが、物理的に接続する場合は、筐体にも工夫が必要となる。このとき、例えば、第１、第２の筐体それぞれの、折畳み時に対向する表面上に、導体で構成される突出部を設け、折畳み時にはこの突出部同士が接触するようにする。一方で、モノポールアンテナ５１、７１と導体５２、７２とは、第１、第２の筐体表面に設けられた突出部と筐体内部から接続するように構成されることにより、第１、第２の筐体の折畳み時に突出部を介して接続することが可能になる。
【産業上の利用可能性】
【００５４】
以上のように、本発明にかかる携帯無線機は、２筐体が閉じられたときに、アンテナを構成する線状導体が回路基板に接近することがなく、帯域幅が拡大し、また線状導体同士が接近することなしに、筐体内部に収めることができ、アンテナ性能を向上させることができるという効果を有し、折畳み式携帯電話機等として有用である。
【図面の簡単な説明】
【００５５】
【図１】携帯無線機の基本構成図。（ａ）は従来の携帯無線機の構成。（ｂ）は本発明の実施の形態の携帯無線機の構成。
【図２】携帯無線機の基本構成図。（ａ）は従来の携帯無線機の構成。（ｂ）は本発明の実施の形態の携帯無線機の構成。
【図３】図１（ａ）に示す従来の携帯無線機におけるシミュレーションモデル
【図４】従来の携帯無線機の電磁界シミュレーションにより得られたＶＳＷＲ特性
【図５】図１（ｂ）に示す本発明の第１実施形態の携帯電話機におけるシミュレーションモデル
【図６】本発明の第１実施形態の携帯無線機における、第１の回路基板１、モノポールアンテナ５１、導体５２に流れる電流の向き
【図７】本発明の第１実施形態の携帯無線機の電磁界シミュレーションにより得られたＶＳＷＲ特性
【図８】図２（ａ）に示す従来の携帯無線機におけるシミュレーションモデル
【図９】従来の携帯無線機の電磁界シミュレーションにより得られたＶＳＷＲ特性
【図１０】図２（ｂ）に示す本発明の第２実施形態の携帯電話機におけるシミュレーションモデル
【図１１】本発明の第２実施形態の携帯無線機における、第１の回路基板１、モノポールアンテナ７１、導体７２に流れる電流の向き
【図１２】本発明の第１実施形態の携帯無線機の電磁界シミュレーションにより得られたＶＳＷＲ特性
【図１３】従来の携帯無線機の構成図
【図１４】従来の携帯無線機の構成図
【符号の説明】
【００５６】
１  第１の回路基板
２  第２の回路基板
３  ヒンジ
４  モノポールアンテナ
６  モノポールアンテナ
５１  モノポールアンテナ
５２  導体エレメント
７１  モノポールアンテナ
７２  導体エレメント
【図１】
2006186896.tif 000003
【図２】
2006186896.tif 000004
【図３】
2006186896.tif 000005
【図４】
2006186896.tif 000006
【図５】
2006186896.tif 000007
【図６】
2006186896.tif 000008
【図７】
2006186896.tif 000009
【図８】
2006186896.tif 000010
【図９】
2006186896.tif 000011
【図１０】
2006186896.tif 000012
【図１１】
2006186896.tif 000013
【図１２】
2006186896.tif 000014
【図１３】
2006186896.tif 000015
【図１４】
2006186896.tif 000016